(57)【要約】【課題】  多くの情報を見やすい文字サイズで表示することができる情報処理装置、情報処理方法及びプログラムを提供すること。【解決手段】  実施形態によれば、情報処理装置は、領域にテキストを表示する表示制御手段と、ユーザの操作に応じて、表示制御手段の表示倍率を変更する処理手段とを具備する。処理手段は、テキストの文字サイズまたは表示倍率が閾値未満である場合に、表示倍率を拡大するに伴って領域に表示されるテキストの文字サイズを拡大し、テキストの文字サイズまたは表示倍率が閾値以上である場合に、表示倍率を拡大するに伴って領域に表示されるテキストの文字数を増加させる。【選択図】図３
2014109881.tif 000002
【特許請求の範囲】
【請求項１】
領域にテキストを表示する表示制御手段と、
ユーザの操作に応じて、前記表示制御手段の表示倍率を変更する処理手段と、
を具備し、
前記処理手段は、前記テキストの文字サイズまたは表示倍率が閾値未満である場合に、表示倍率を拡大するに伴って前記領域に表示されるテキストの文字サイズを拡大し、
前記テキストの文字サイズまたは表示倍率が閾値以上である場合に、表示倍率を拡大するに伴って前記領域に表示されるテキストの文字数を増加させる情報処理装置。
【請求項２】
前記処理手段は、前記テキストの文字サイズまたは表示倍率が閾値以上である場合に、表示倍率を縮小するに伴って前記領域に表示されるテキストの文字数を減少させ、
前記テキストの文字サイズまたは表示倍率が閾値未満である場合に、前記領域を縮小するに伴って表示倍率に表示されるテキストの文字サイズを縮小させる請求項１記載の情報処理装置。
【請求項３】
前記処理手段が使用する閾値をユーザの操作により設定できる手段をさらに具備する請求項１記載の情報処理装置。
【請求項４】
タッチパネルをさらに具備し、
前記処理手段は、前記タッチパネル上の複数の接触点の間の距離の変化を検出する場合に、表示倍率を変更する請求項１記載の情報処理装置。
【請求項５】
前記処理手段は、所定のユーザ操作に応じて、表示倍率を初期倍率に戻す手段をさらに請求項１記載の情報処理装置。
【請求項６】
前記表示手段はタッチパネルを具備し、
前記縮小手段は、前記タッチパネル上の所定のタッチ操作に応じて表示倍率を初期倍率に戻す請求項５記載の情報処理装置。
【請求項７】
前記処理手段は、前記領域及び前記テキストを縦横比を保って拡大あるいは縮小する請求項１記載の情報処理装置。
【請求項８】
前記表示制御手段は電子番組表を表示する請求項１記載の情報処理装置。
【請求項９】
領域にテキストを表示することと、
ユーザの操作に応じて、表示倍率を変更することと、を具備する情報処理方法であって、
前記表示倍率を変更することは、前記テキストの文字サイズまたは表示倍率が閾値未満である場合に、表示倍率を拡大するに伴って前記領域に表示されるテキストの文字サイズを拡大し、前記テキストの文字サイズまたは表示倍率が閾値以上である場合に、表示倍率を拡大するに伴って、前記領域に表示されるテキストの文字数を増加することである情報処理方法。
【請求項１０】
コンピュータにより実行されるプログラムであって、前記プログラムは前記コンピュータを、
領域にテキストを表示する表示制御手段と、
ユーザの操作に応じて、前記表示制御手段の表示倍率を変更する処理手段と、
して動作させ、
前記処理手段を、前記テキストの文字サイズまたは表示倍率が閾値未満である場合に、表示倍率を拡大するに伴って前記領域に表示されるテキストの文字サイズを拡大し、
前記テキストの文字サイズまたは表示倍率が閾値以上である場合に、表示倍率を拡大するに伴って前記領域に表示されるテキストの文字数を増加させるものであるプログラム。
【請求項１１】
領域にテキストを表示する表示制御手段を具備する情報処理端末から要求を受ける情報処理システムであって、
前記情報処理端末から表示開始指示を受けると、領域にテキストが配置された第１表示データを前記情報処理端末に送信する手段と、
前記第１表示データを表示している前記情報処理端末から第１拡大指示を受けると、前記領域とテキストとを拡大した第２表示データを前記情報処理端末に送信する手段と、
前記第２表示データを表示している前記情報処理端末から第２拡大指示を受けると、前記領域を拡大し、該拡大後の領域のデータと、該領域の拡大に応じて増加した文字分のデータとからなる第３表示データを前記情報処理端末に送信する手段と、
を具備する情報処理システム。
【発明の詳細な説明】
【技術分野】
【０００１】
本発明の実施形態は、所定の領域にテキストを表示することに関する。
【背景技術】
【０００２】
近年、ＥＰＧ（電子番組案内）データを受信して電子番組表を表示するテレビジョン受像機がある。また、近年、パーソナルコンピュータ、タブレットコンピュータやスマートフォンでもテレビジョンチューナを搭載し、テレビジョン受像機と同様にテレビ番組が視聴できるものもあり、このような情報処理装置でも電子番組表を表示することがある。
【０００３】
このような電子番組表の表示では、通常、画面の横方向にチャンネルを、縦方向に時間を割り当てて、番組枠を２次元的に配置する。横長の画面の場合、横方向のチャンネル数は、５〜８チャンネル程度となっている。縦方向の時間に関しても、５〜８時間程度の番組が表示される。このため、一度に多くの番組の番組情報が表示できるが、１つの番組枠内に表示される番組情報の文字サイズは小さく制限されている。このため、表示を自由に拡大したい要求がある。なお、このような要求は電子番組表の表示に関わらず、ある領域にテキストを表示する際に、同様に生じる。
【先行技術文献】
【特許文献】
【０００４】
【特許文献１】特開平１１−３１３２９１号公報
【発明の概要】
【発明が解決しようとする課題】
【０００５】
従来の情報処理装置は、領域全体を拡大する機能を備える。しかし、この拡大機能では、領域拡大につれて文字の大きさも拡大されるが、表示できる文字数は変わらず、番組情報の全部を表示できない。一方、文字サイズを可変できる機能を備える情報処理装置もある。しかし、文字サイズを拡大すると、表示できる文字数は当然に減少する。このように、従来の情報処理装置では、多くの情報を見やすい文字サイズで表示することができなかった。
【０００６】
本発明の一形態の目的は、多くの情報を見やすい文字サイズで表示することができる情報処理装置、情報処理方法及びプログラムを提供することである。
【課題を解決するための手段】
【０００７】
実施形態によれば、情報処理装置は、領域にテキストを表示する表示制御手段と、ユーザの操作に応じて、表示制御手段の表示倍率を変更する処理手段とを具備する。処理手段は、テキストの文字サイズまたは表示倍率が閾値未満である場合に、表示倍率を拡大するに伴って領域に表示されるテキストの文字サイズを拡大し、テキストの文字サイズまたは表示倍率が閾値以上である場合に、表示倍率を拡大するに伴って領域に表示されるテキストの文字数を増加させる。
【図面の簡単な説明】
【０００８】
【図１】実施形態の情報処理装置の外観の一例を示す斜視図である。
【図２】実施形態の情報処理装置の内部構成の一例を示すブロック図である。
【図３】実施形態の情報処理装置による番組表拡大表示処理の流れの一例を示す図である。
【図４】実施形態の情報処理装置が表示する電子番組表の一例を示す図である。
【図５】実施形態の電子番組表の表示拡大の一例を示す図である。
【図６】実施形態の電子番組表の表示拡大の別の一例を示す図である。
【図７】第２実施形態の情報処理装置による番組表拡大表示処理の流れの一例を示す図である。
【図８】第３実施形態の情報処理装置とサーバシステムとの処理の流れの一例を示す図である。
【発明を実施するための形態】
【０００９】
以下、実施形態について図面を参照して説明する。
【００１０】
図１は、実施形態に係る情報処理装置１０の外観を示す図である。情報処理装置１０は、通常のテレビジョン受像機はもちろんのこと、テレビチューナを内蔵するタブレットコンピュータ、ノートブック型パーソナルコンピュータ、スマートフォン、ＰＤＡ、他の各種情報端末によって実施される。以下では、説明の便宜上、情報処理装置１０がタブレットコンピュータとして実施されている場合を説明する。
【００１１】
本体１１は、薄い箱形の筐体を有している。本体１１の表面には、タッチスクリーンディスプレイ１７が設けられる。タッチスクリーンディスプレイ１７はフラットパネルディスプレイと、フラットパネルディスプレイの画面上の指の接触位置、タッチ操作を検出するように構成されたセンサとが組み込まれている。タッチ操作としては、タップ、ダブルタップ、ドラッグ、フリック、ピンチ操作、ホールド等がある。ピンチ操作は２本の指で画面の一部を押さえ、摘むように指を近づけるピンチインと、反対に指を遠ざけるピンチアウトを含む。
【００１２】
フラットパネルディスプレイは、例えば、液晶表示装置（ＬＣＤ）であってもよい。センサとしては、例えば、静電容量方式のタッチパネルなどを使用することができる。タッチパネルは、フラットパネルディスプレイの画面を覆うように設けられる。
【００１３】
タブレットコンピュータ１０は、ネットワーク通信機能を有しており、他のパーソナルコンピュータやインターネット２上のサーバシステム４などと連携することができる。すなわち、タブレットコンピュータ１０は、無線ＬＡＮなどの無線通信デバイスを備えており、他のパーソナルコンピュータとの無線通信を実行することができる。さらに、タブレットコンピュータ１０は、インターネット２上のサーバシステム４との通信を実行することもできる。サーバシステム４は様々な情報を共有するためのシステムであり、各種クラウドコンピューティングサービスを実行する。このサーバシステム４は１以上のサーバコンピュータから実現し得る。
【００１４】
図２は、タブレットコンピュータ１０のシステム構成を示す図である。  
タブレットコンピュータ１０は、ＣＰＵ１０１、システムコントローラ１０２、主メモリ１０３、グラフィクスコントローラ１０５、ＢＩＯＳ−ＲＯＭ１０５、不揮発性メモリ１０６、無線通信デバイス１０７、エンベデッドコントローラ（ＥＣ）１０８、テレビチューナ１０９等を備える。
【００１５】
ＣＰＵ１０１は、タブレットコンピュータ１０内の各種モジュールの動作を制御するプロセッサである。ＣＰＵ１０１は、ストレージデバイスである不揮発性メモリ１０６から主メモリ１０３にロードされる各種ソフトウェアを実行する。これらソフトウェアには、オペレーティングシステム（ＯＳ）２０１、および各種アプリケーションプログラムが含まれている。アプリケーションプログラムには、電子番組表アプリケーションプログラム２０２が含まれている。電子番組表アプリケーションプログラム２０２は、受信したＥＰＧデータに基づいて電子番組表を表示する機能、番組表を拡大・縮小する機能等を有している。
【００１６】
また、ＣＰＵ１０１は、ＢＩＯＳ−ＲＯＭ１０５に格納された基本入出力システム（ＢＩＯＳ）も実行する。ＢＩＯＳは、ハードウェア制御のためのプログラムである。
【００１７】
システムコントローラ１０２は、ＣＰＵ１０１のローカルバスと各種コンポーネントとの間を接続するデバイスである。システムコントローラ１０２には、主メモリ１０３をアクセス制御するメモリコントローラも内蔵されている。また、システムコントローラ１０２は、ＰＣＩ  ＥＸＰＲＥＳＳ規格のシリアルバスなどを介してグラフィクスコントローラ１０４との通信を実行する機能も有している。
【００１８】
グラフィクスコントローラ１０４は、タブレットコンピュータ１０のディスプレイモニタとして使用されるＬＣＤ１７Ａを制御する表示コントローラである。グラフィクスコントローラ１０４によって生成される表示信号（テレビジョン映像信号や電子番組表信号）はＬＣＤ１７Ａに送られる。ＬＣＤ１７Ａは、表示信号に基づいて画面イメージを表示する。ＬＣＤ１７Ａ上にはタッチパネル１７Ｂが配置されている。タッチパネル１７Ｂは、ＬＣＤ１７Ａの画面上で入力を行うための静電容量式のポインティングデバイスである。指が接触される画面上の接触位置および接触位置の動き等はタッチパネル１７Ｂによって検出される。
【００１９】
無線通信デバイス１０７は、無線ＬＡＮまたは３Ｇ移動通信などの無線通信を実行するように構成されたデバイスである。ＥＣ１０８は、電力管理のためのエンベデッドコントローラを含むワンチップマイクロコンピュータである。ＥＣ１０８は、ユーザによるパワーボタンの操作に応じてタブレットコンピュータ１０を電源オンまたは電源オフする機能を有している。
【００２０】
ＴＶチューナ１０９は地上デジタル放送／ワンセグ放送に対応し、図示しないアンテナに接続される。アンテナは本体内に収納されるロッドアンテナを具備する。
【００２１】
図３は、実施形態の電子番組表アプリケーション２０２による番組表の表示処理の流れを示す図である。
【００２２】
電源オン後、画面にスタートメニューが表示され、その中から番組表アイコンが選択されると、ブロック３２で、電子番組表が表示される。あるいは、テレビ番組の視聴中に画面の周囲に表示されるアイコンの中の番組表アイコンが選択された場合、ブロック３２が実行される。
【００２３】
番組情報を示すＥＰＧデータは、放送信号あるいはネットワーク等を介して予め取得される。放送信号を介して取得される場合は、ＴＶチューナ１０９で受信された放送信号からＥＰＧデータが分離される。しかし、これ以外にも無線通信デバイス１０７を介してインターネット２から取得することも可能である。ＥＰＧデータは不揮発性メモリ１０６に格納される。
【００２４】
電子番組表の一例を図４に示す。ここでは、縦方向が時間を、横方向がチャンネルを表し、７チャンネルの６時間分の番組を配列したレイアウトが初期レイアウトとして設定されている。しかし、具体的な配列数はこれに限らないし、縦、横が逆でもよい。すなわち、それぞれが１つの放送局（チャンネル）に対応する７つのチャンネル枠が横方向に配列されている。チャンネル枠の上端の枠にはチャンネル数とチャンネル名が記載されている。左端は時間帯を示す。右端は今日を含めた１週間分の日付のアイコンが表示され、この何れかの日付アイコンをタップすると、その日付の番組表にジャンプする。それぞれのチャンネル枠は、放送時間に応じた長さで分割され、各番組枠が構成されている。番組表の上端の番組枠は現在放送中の番組に対応する。
【００２５】
番組情報の文字は、初期レイアウトでは、予め設定されたフォントサイズ（例えば、１０．５ポイント）に設定されている。そのため、番組情報の文字数が多い場合は、番組枠内に全部の文字が表示できず、最初の部分しか表示されない。
【００２６】
チャンネル数が７より多い場合は、左右にドラッグ、あるいはフリックすることによりページを左右に移動、あるいは切り換えることができる。同様に、現在表示されている時間帯以外の時間の番組表を見たい場合は、上下にドラッグ、あるいはフリックすることによりページを上下に移動、あるいは切り換えることができる。
【００２７】
初期レイアウトの番組表の表示は、ブロック３４で、タッチパネル１７Ｂへのタッチ操作が検出されるまで続く。ブロック３４で、タッチ操作が検出されると、ブロック３６で、拡大表示の指示イベントが検出されたか否か判定される。拡大表示の指示は、各システム又は各端末で定められるどのようなユーザの操作に対応して生成されるものであっても良く、例えば拡大したい番組枠を含む画面の部分領域を２本の指で押さえてから、指を遠ざけるピンチアウト操作に対応する。２本の指は、それらの中点が注目の番組枠内にあれば、どこにタッチしてもよく、左右、上下、斜めのいずれの方向にピンチアウト操作してもよい。
【００２８】
拡大表示の指示有りが判定されると、ブロック３８で、文字フォントサイズが所定の閾値（例えば、１４ポイント）未満であるか否か判定される。文字フォントサイズが閾値未満である場合は、ブロック４０で、図５に示すようにピンチアウト操作量に応じた倍率で番組表全体が拡大表示される。ピンチアウト操作により２本の指の間隔が長くなるにつれて、倍率が１．０から徐々に増加する。なお、倍率の現在値は不揮発性メモリ１０６に保存される。倍率の増加に伴い、各番組枠の領域が拡大され、番組枠を拡大するに伴って番組枠に表示される文字フォントサイズも拡大される。文字フォントサイズの現在値も不揮発性メモリ１０６に保存される。拡大率は、ピンチアウト操作の方向に関わらず、縦横同じ率である。すなわち、番組枠は縦横比を一定に保った状態で拡大される。拡大すると、当然、初期の番組表全体は表示できず、一部分の表示になる。この場合、画面をタッチした２本の指の中点を中心として番組枠及び文字サイズを拡大する。ただし、番組表の端部の領域に関してピンチアウト操作した場合は、２本の指の中点を中心として拡大すると、端部の番組枠の一部が画面からはみ出て表示できなくなるので、端部の番組枠の一部が画面内に収まるように拡大中心位置を２本の指の中点から若干内側に移動する。
【００２９】
文字フォントサイズが閾値未満でない場合は、ブロック４２で、図６に示すように倍率の増加に伴い番組枠が拡大され、番組枠を拡大するに伴って番組枠に表示される文字数が増加される。文字フォントサイズが閾値未満でない場合は、文字は十分なサイズまで既に拡大されていると推定できるので、番組枠を拡大するに伴って番組枠に表示される文字フォントサイズを拡大する必要はないが、文字数を増加しても、未だ枠内に余裕がある場合は、文字フォントサイズを増加してもよい。この場合も、番組表の端部の番組枠は端部を中心として拡大し、拡大率は、ピンチアウト操作量に応じる。
【００３０】
すなわち、図４の初期状態から図５の状態までは、番組表全体が拡大され、番組枠と文字サイズが連動して拡大される。そのため、表示文字数は変わらない。図５の文字サイズが閾値サイズであるとすると、図５の状態から図６の状態までは、番組枠の拡大に伴い、表示文字数が増える。文字サイズは、場合によって、拡大されてもよい。
【００３１】
ブロック４０、４２の次にブロック４４で、番組表のレイアウトが拡大レイアウトに固定される。次に、ブロック４６で、タッチ操作が継続しているか否か判定される。継続している場合は、ブロック３６の拡大表示の指示の有無の判定から繰り返される。タッチ操作が終了した場合は、ブロック３４のタッチ操作の有無の判定から繰り返される。
【００３２】
ブロック３６で拡大表示の指示有りが判定されない場合は、ブロック４８で、縮小表示の指示イベントが検出されたか否か判定される。縮小表示の指示は、各システム又は各端末で定められるどのようなユーザの操作に対応して生成されるものであっても良く、例えば、縮小したい番組枠を含む画面の部分領域を２本の指で押さえてから、指を近づけるピンチイン操作に対応する。２本の指は、それらの中点が注目の番組枠内にあれば、どこにタッチしてもよく、左右、上下、斜めのいずれの方向にピンチイン操作してもよい。
【００３３】
縮小表示の指示有りが判定されると、ブロック５０で、文字フォントサイズが所定の閾値以上であるか否か判定される。文字フォントサイズが閾値以上である場合は、ブロック５２で、表示レイアウトを図６に示す状態から図５に示す状態のように変化させる。すなわち、タッチ操作が検出されると、不揮発性メモリ１０６から倍率が読み出され、ピンチイン操作により２本の指の間隔が短くなるにつれて、倍率が徐々に減少する。倍率の減少に伴い、各番組枠が縮小され、番組枠を縮小するに伴って番組枠に表示される文字数が減少される。拡大の場合と同様に、縮小率も、ピンチイン操作の方向に関わらず、縦横同じ率である。番組枠は縦横比を一定に保った状態で縮小される。縮小すると、当然、今まで画面外で表示されていない番組表部分も表示される。ただし、番組表の端部の領域に関してピンチイン操作した場合は、２本の指の中点を中心として縮小すると、端部に番組表が無い空白部分ができてしまうので、中心位置を２本の指の中点から若干外側に移動する。
【００３４】
文字フォントサイズが閾値未満である場合は、ブロック５４で、表示レイアウトを図５に示す状態から図４に示す状態のように変化させる。すなわち、倍率の減少に伴い番組表全体が縮小され、番組枠を縮小するに伴って番組枠に表示される文字サイズも減少される。
【００３５】
ブロック５２、５４の次にブロック５６で、番組表のレイアウトが縮小レイアウトに固定される。次に、ブロック５８で、タッチ操作が継続しているか否か判定される。継続している場合は、ブロック４８の縮小表示の指示の有無の判定から繰り返される。タッチ操作が終了した場合は、ブロック３４のタッチ操作の有無の判定から繰り返される。
【００３６】
ブロック４８で、縮小表示の指示有りが判定されない場合は、ブロック６０で、リセットが指示されたか否か判定される。リセットの指示は、画面のいずれかの点をダブルタップする操作に対応する。
【００３７】
リセットの指示有りが判定されると、ブロック３２の初期レイアウトの電子番組表の表示に戻る。リセットの指示有りが判定されない場合は、ブロック３４のタッチ操作の有無判定から繰り返す。
【００３８】
以上説明したように、第１の実施形態によれば、電子番組表の表示において、表示の拡大が指示されると、文字フォントサイズが検出される。文字フォントサイズが閾値未満である場合は、番組枠を拡大するに伴って番組枠に表示される番組情報の文字サイズを拡大する。文字フォントサイズが閾値以上である場合は、番組枠を拡大するに伴って番組枠に表示される番組情報の文字数を増加させる。最初は、全体が拡大され、番組枠と文字サイズが連動して拡大される。表示文字数は変わらないが、文字サイズが大きくなり、見易さは向上する。そして、文字サイズが閾値サイズ以上になると、番組枠が大きくなった分、文字数を増加する。このため、多くの文字数の情報を見易いサイズで見ることができ、ユーザの利便性はさらに向上する。
【００３９】
なお、初期サイズの文字で十分見易い場合は、文字サイズの閾値を初期サイズに設定すれば、最初から番組枠のみ拡大され、文字数が増える拡大処理（図３のブロック４０の処理）とすることができる。
【００４０】
現状の多くの電子番組表は、文字サイズ設定と表示するチャンネル数(番組枠のサイズ)の設定が別々であるが、本実施形態によれば、両者を動的に最適化することができ、使い勝手が良い。
【００４１】
なお、表示の縮小が指示された場合は、番組情報の文字サイズが閾値以上である場合に、番組枠を縮小するに伴って番組枠に表示される番組情報の文字数を減少させる。番組情報の文字サイズが閾値未満である場合に、番組枠を縮小するに伴って番組枠に表示される番組情報の文字サイズを縮小させる。
【００４２】
以下、他の実施形態を説明する。他の実施形態の説明において第１の実施形態と同一部分は同一参照数字を付してその詳細な説明は省略する。
【００４３】
図７は、第２実施形態の情報処理装置の外観、内部構成は第１実施形態と同じであり、その説明は省略する。
【００４４】
図７は電子番組表アプリケーション２０２による番組表の表示処理の流れを示す図である。第２実施形態の拡大、縮小処理はほとんど図３と同じであるが、図４に示す状態から図５に示す状態への拡大処理と、図５に示す状態から図６に示す状態への拡大処理とを切り換える判断が異なる。図３では、文字フォントサイズが閾値未満か以上かで切り換えているが、図７のブロック７２、７４に示すように、ピンチアウト操作、またはピンチイン操作により指定される表示倍率が閾値未満か以上かで切り換えてもよい。倍率は図４の表示が１．０倍である。例えば、図５の表示の倍率を閾値と設定することができる。図７の他のブロックは図３と同じである。
【００４５】
第１、第２実施形態は、全ての処理を装置本体内で実行する例を説明したが、インターネット上のクラウドコンピューティングサービスを利用してもよい。例えば、ＥＰＧデータから電子番組表を作成する処理をサーバシステム２により実施しても良い。すなわち、図２に示す電子番組表アプリケーションプログラム２０２のようなプログラムをサーバシステム２に実装し、タブレットコンピュータ１０はサーバシステム２から受信する電子番組表を表示するだけでもよい。この場合、拡大処理もサーバシステム２で実施するので、タブレットコンピュータ１０はサーバシステム２に拡大指示だけ送信する。そして、拡大された電子番組表を受信して表示する。この場合、図６に示すように文字数が増える場合は、増えた文字のデータだけサーバシステム２から受信すればよい。
【００４６】
図８はタブレットコンピュータ１０とサーバシステム２との処理の流れを示す。  
タブレットコンピュータ１０で番組表の表示を指示するタッチ操作が行なわれると、サーバシステム２に番組表が要求される（ステップ＃１０）。サーバシステム２で番組表のレイアウトデータが作成されると、サーバシステム２からタブレットコンピュータ１０に図４に示すような初期レイアウトの電子番組表が送信される（ステップ＃１２）。
【００４７】
タブレットコンピュータ１０で番組表の表示拡大を指示するタッチ操作が行なわれると、サーバシステム２に拡大要求が送信される（ステップ＃１４）。サーバシステム２で図３のブロック６０に示すような番組表全体の拡大処理が終了すると、サーバシステム２からタブレットコンピュータ１０に図５に示すように全体的に拡大された電子番組表が送信される（ステップ＃１６）。
【００４８】
タブレットコンピュータ１０でさらに番組表の表示拡大を指示するタッチ操作が行なわれると、サーバシステム２にさらなる拡大要求が送信される（ステップ＃１８）。サーバシステム２で図３のブロック６２に示すような文字サイズ固定で番組枠を拡大する処理が行なわれる。ステップ＃２０で拡大された番組枠データがタブレットコンピュータ１０に送信される（ステップ＃２０）。サーバシステム２で拡大番組枠内に表示する文字数を増やし、増えた文字データがタブレットコンピュータ１０に送信される（ステップ＃２２）。以下、拡大操作が続く限り、ステップ＃２０、＃２２が繰り返される。
【００４９】
このように、表示する文字数が増えた場合、増加分の文字データのみがサーバシステム２からタブレットコンピュータ１０に送信されるので、通信時間が短縮できる。
【００５０】
以下、変形例を説明する。
【００５１】
本発明はタッチ操作ができるタブレットコンピュータに限らず、キー入力の情報処理装置にも適用できる。この場合、拡大指示はキー入力、あるいはマウス等を利用して入力することができる。さらに、通常のテレビジョン受像機にも適用可能である。この場合、拡大指示はリモートコントローラのボタンを利用して入力することができる。
【００５２】
テレビチューナ１０９を内蔵して、空中を伝播してくる放送電波を受信して放送番組を視聴する例を説明したが、ケーブルテレビやＩＰ（インターネット・プロトコル）網等のネットワークを介して放送局から配信される番組を受信するものでも良い。
【００５３】
また、リアルタイムでテレビ放送を視聴する例を説明したが、録画番組を再生する場合の録画番組表にも適用可能である。
【００５４】
表示の例としては電子番組表を説明したが、表示するものはこれに限らず、ある領域にテキストを表示するものであれば、何でも適用可能である。例えば、インターネットのウェブページを閲覧するブラウザや、表計算アプリケーション等にも適用可能である。
【００５５】
本実施形態のタブレットコンピュータ１０の処理はコンピュータプログラムによって実現することができるので、このコンピュータプログラムを格納したコンピュータ読み取り可能な記憶媒体を通じてこのコンピュータプログラムを通常のコンピュータにインストールして実行するだけで、本実施形態と同様の効果を容易に実現することができる。
【００５６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００５７】
１７…タッチスクリーンディスプレイ、１７Ａ…ＬＣＤ、１７Ｂ…タッチパネル、１０１…ＣＰＵ、１０２…システムコントローラ、１０９…ＴＶチューナ、２０２…電子番組表アプリケーションプログラム。
【図１】
2014109881.tif 000003
【図２】
2014109881.tif 000004
【図３】
2014109881.tif 000005
【図４】
2014109881.tif 000006
【図５】
2014109881.tif 000007
【図６】
2014109881.tif 000008
【図７】
2014109881.tif 000009
【図８】
2014109881.tif 000010